(57)【特許請求の範囲】
【請求項１】
取付部と、この取付部から屋外側に突設された支持腕と、この支持腕の屋外側に設けられた屋外側耳保持部と、この屋外側耳保持部より屋内側に設けられた屋内側耳保持部とからなる軒樋吊り具において、
前記支持腕の屋内側の上面に、屋外方向に向かって斜め下方向に傾斜した傾斜面が設けられ、この傾斜面に複数個の段部が設けられ、支持腕の屋内側の横面に屋外方向に向かって細くなる傾斜面が設けられ、この傾斜面に複数個の段部が設けられていることを特徴とする軒樋吊り具。
【発明の詳細な説明】
【０００１】
【発明の属する技術分野】
本発明は軒樋吊り具に関する。
【０００２】
【従来の技術】
従来、軒樋吊り具には種々な構造のものがあるが、実開平２−２７４２６号公報、実開平５−２３９８９４号公報に記載あるように、取付部と、この取付部から屋外側に突設された支持腕と、この支持腕の屋外側に設けられた屋外側耳保持部と、この屋外側耳保持部より屋内側に設けられた屋内側耳保持部とからなる軒樋吊り具が多く使用されている。
【０００３】
更に、前者の実開平２−２７４２６号公報に記載ある軒樋吊り具は、支持腕の屋内側の上面に逆流防止片を立設させたものである。この軒樋吊り具は支持腕の上を屋内方向に流れる雨水を逆流防止片で防ぐことができるので屋内側の軒先等が濡れ難いので好ましい軒樋吊り具である。又、後者の実開平５−２３９８９４号公報に記載の軒樋吊り具は、支持腕の上面に屋内方向から屋外方向に長い溝を設け、この溝の屋内側に堤を設けたものであり、この溝の中を流れる雨水を堤で防ぐことができ、屋内側の軒先等が濡れ難いので好ましい軒樋吊り具である。
【０００４】
【発明が解決しようとする課題】
しかし、前者の軒樋吊り具でも、又、後者の軒樋吊り具でも、雨水が多くなったり風が吹くと、支持腕の屋内側の上面に立設された逆流防止片や堤だけでは防ぐことができない。
即ち、支持腕の上面を多量の雨水が屋内方向に流れてゆくと、逆流防止片や堤の上を乗り越えるし、又、風が屋内方向に吹くと、支持腕に付着した雨水が支持腕の横面を屋内方向に流れるから、軒先等が濡れるという問題がある。そこで、本発明の目的は軒先が濡れることがない軒樋吊り具を提供するものである。
【０００５】
【課題を解決するための手段】
請求項１記載の発明は、取付部と、この取付部から屋外側に突設された支持腕と、この支持腕の屋外側に設けられた屋外側耳保持部と、この屋外側耳保持部より屋内側に設けられた屋内側耳保持部とからなる軒樋吊り具において、前記支持腕の屋内側の上面に、屋外方向に向かって斜め下方向に傾斜した傾斜面が設けられ、この傾斜面に複数個の段部が設けられ、支持腕の屋内側の横面に屋外方向に向かって細くなる傾斜面が設けられ、この傾斜面に複数個の段部が設けられているものである。
【０００６】
本発明の軒樋吊り具は、実開平２−２７４２６号公報に記載ある軒樋吊り具のように、支持腕の先端に直接屋外側耳保持部を設けものであってよいし、又、実開平５−２３９８９４号公報に記載の軒樋吊り具のように、支持腕に、屋外側先端部に屋外側耳保持部を、又、屋内側先端部に屋内側耳保持部をそれぞれ設けた吊り杆を取り付けたものでもよい。
【０００７】
（作用）請求項１記載の軒樋吊り具は、支持腕の屋内側の上面に、屋外方向に向かって斜め下方向に傾斜した傾斜面が設けられ、この傾斜面に複数個の段部が設けられているから、雨水が支持腕の上面を屋内方向に多量流れていっても段部をすべて越えることができない。従って、軒先を濡らすことがない。また、支持腕の屋内側の横面に屋外方向に向かって細くなる傾斜面が設けられ、この傾斜面に複数個の段部が設けられているから、風等が吹いて雨水が支持腕の横面を屋内方向に流れても、横面に設けられている複数個の段部を越えることができない。従って、横面を雨水が流れても軒先を濡らすことがない。
【０００８】
【発明の実施の形態】
次に、本発明の実施の形態を説明する。
（実施例１）図１は本発明の軒樋吊り具の一実施例を示す斜視図、図２は図１の軒樋吊り具が適用される軒樋を示す正面図である。
【０００９】
まず、本発明の軒樋吊り具が適用される軒樋について説明する。図２において、６は軒樋であり、この軒樋６は屋外側壁６１と屋内側壁６２と底板６３とからなり、屋外側壁６１の上端縁には、屋外側耳６５が、又、屋内側壁６２の上端縁には、屋内側耳６６がそれぞれ設けられている。屋外側耳６５は屋内方向に開口している断面Ｃ形をしている。屋内側耳６６は屋内側壁６２の上端部が屋内方向に突出するように膨出して、下側に段部６６１が形成されている。
【００１０】
図１において、１ａは軒樋吊り具であり、この軒樋吊り具１は取付具２ａと吊り杆３ａとからなる。取付具２ａは、軒先に取り付けられる取付部４ａと、この取付部４ａから屋外側に突設された支持腕５ａとからなる。取付部４ａは屋内側面が軒先に沿う形状の板体であり、この板体には軒先に取り付け易いように通孔４１ａが設けられている。
【００１１】
支持腕５ａの屋内側の上面には、屋外方向に向かって斜め下方向に傾斜した傾斜面５１ａが設けられ、この傾斜面５１ａに４個の段部５２ａが設けられているが、その他にも、支持腕５ａの屋内側の横面に屋外方向に向かって細くなるような傾斜面５５ａが設けられ、この傾斜面５５ａに４個の段部５６ａが設けられている。尚、４個の段部５６ａは、屋内方向に行くほど下側が前方向に傾斜していて、段部５６ａの下端が軒樋の上方に位置するようになっている。又、この支持腕５ａの屋外側には通孔５３ａが設けられ、この通孔５３ａを挟んだ両側縁に下方に垂下された挟持片５４ａ、５４ａが設けられている。
【００１２】
吊り杆３ａは、屋外側端部に屋外側耳保持部３１ａが、又、屋内側端部に屋内側耳保持部３２ａがそれぞれ設けられた杆状体である。屋外側耳保持部３１ａは先端が上方に突出したものであり、この屋外側耳保持部３１ａを軒樋の断面Ｃ形の屋外側耳の開口に挿入することによって屋外側耳を保持することができるようになっている。屋内側耳保持部３２ａは係止片３２１ａとバネ片３２２ａとからなる。係止片３２１ａは支持腕３ａの屋内側から下方に垂下され、その先端が屋外方向に突出されたものであり、バネ片３２２ａは支持腕５ａからこの係止片３２１ａに相対する位置に突出したものである。
【００１３】
そして、この係止片３２１ａとバネ片３２２ａの間に軒樋の屋内側耳を挿入すると、バネ片３２２ａを変形させながら屋内側耳が通過し、通過後にバネ片３２２ａが弾性により元の形状に戻り、バネ片３２２ａが屋内側耳を屋内方向に押し付けて屋内側耳の段部を係止片３２１ａの上に載せて屋内側耳を屋内側耳保持部に保持させることができるようになっている。
【００１４】
この吊り杆３ａのほぼ中央には長手方向に沿った長孔３３ａが設けられている。そして、この吊り杆３ａが支持腕５ａの挟持片５４ａ、５４ａの間に挿入され、長孔３３ａと通孔５３ａとに挿入されたボルト９ａと、このボルト９ａに螺入された蝶ナット９１ａとで吊り杆３ａが取付具２ａに連結されている。
【００１５】
次に、この軒樋吊り具１ａの使用方法及び作用について説明する。
軒樋吊り具１ａの取付具２ａの取付部４ａを軒先の所定位置に当接させ、通孔４１ａにビスを通して軒先に螺入して軒樋吊り具１ａを軒先に取り付ける。次に、ボルト９ａと蝶ナット９１ａを緩めて吊り杆３ａを長孔３３ａに沿って移動させて屋外側耳保持部３１ａおよび屋内側耳保持部３２ａと軒先との距離（出寸法）を調節した後、ボルト９ａと蝶ナット９１ａを巻き締めて吊り杆３ａを支持腕５ａに固定する。
【００１６】
次に、図２に示す軒樋６の屋外側耳６５を軒樋吊り具１ａの屋外側耳保持部３１ａの凹部に係止させ、軒樋６をこの凹部を中心にして回転させて、軒樋６の屋内側耳６６を軒樋吊り具１ａの屋内側耳保持部３２ａであるバネ片３２２ａと係止片３２２ａとの間に入れて、軒樋６を軒先に取り付ける。このようにして軒樋６を所定の出寸法で軒先に取り付けることができる。
【００１７】
このようにして軒樋吊り具１ａで軒樋６を取り付けた後、雨が降ると、屋根の下端から雨水が軒樋６の中に直接落下したり、屋根に取り付けられた水切り板を伝って落下するが、その際、支持腕５ａの上にも雨水がかかって、支持腕５ａの上面を伝って屋内方向に移動する。すると、支持腕５ａの屋内側の上面に、屋外方向に向かって斜め下方向に傾斜した傾斜面５２ａが設けられ、この傾斜面５２ａに４個の段部５２ａが設けられているから、雨水が段部５２ａで遮られてこれ以上屋内方向に流れてゆかない。雨水が多くなり、多量の雨水が上面の上を屋内方向に流れていっても４個の段部５２ａをすべて越えることができず、従って、軒先を濡らすことがない。
【００１８】
更に、この軒樋吊り具１ａは、支持腕５ａの屋内側の横面にも屋外方向に向かって細くなるような傾斜面５６ａが設けられ、この傾斜面５６ａに４個の段部５６ａが設けられているから、風等が吹いて雨水が支持腕５ａの横面を屋内方向に流れても、横面に設けられている４個の段部５６ａを乗り越えることができず、従って、軒先を濡らすことがない。尚、４個の段部５６ａは、屋内方向に行くほど下側が前方向に傾斜しているから、屋内側の段部５６ａに沿って流れる雨水は屋外方向に、即ち、軒先から遠ざかる方向に導かれて軒樋６の中下方に落下するので、軒下に雨水が落下しないようになっている。
【００１９】
【発明の効果】
請求項１記載の発明の軒樋吊り具は、支持腕の屋内側の上面に、屋外方向に向かって斜め下方向に傾斜した傾斜面が設けられ、この傾斜面に複数個の段部が設けられているから、雨水が支持腕の上面を屋内方向に多量流れていっても段部をすべて越えることができない。従って、軒先を濡らすことがない。
また、支持腕の屋内側の横面に屋外方向に向かって細くなる傾斜面が設けられ、この傾斜面に複数個の段部が設けられているから、風等が吹いて雨水が支持腕の横面を屋内方向に流れても、横面に設けられている複数個の段部を越えることができない。
従って、横面を雨水が流れても軒先を濡らすことがない。
【図面の簡単な説明】
【図１】本発明の軒樋吊り具の一実施例を示す斜視図である。
【図２】図１の軒樋吊り具が適用される軒樋を示す正面図である。
【符号の説明】
１ａ  軒樋吊り具
２ａ  取付具
３ａ  吊り杆
４ａ  取付部
５ａ  支持腕
５１ａ  傾斜面
５２ａ  段部
５５ａ  横面の傾斜面
５６ａ  横面の段部
６  軒樋
【図１】
0003715712.tif 000002
【図２】
0003715712.tif 000003